(57)【要約】【課題】ユーザがよく使う操作キーとそうでない操作キーとを別々の画面に切り換え可能に表示して、ユーザの使い勝手を向上させるようにした情報表示装置を提供する。【解決手段】情報表示装置１０は、複数の操作キーを表示する液晶表示部１４と、液晶表示部１４に設けられたタッチパネル１５と、複数の操作キーの中から、ユーザにより選択された操作キーなどの所定の操作キーを選択するＣＰＵ１３とを備える。液晶表示部１４は、ＣＰＵ１３により選択された操作キーと該操作キー以外の他の操作キーとを別々の画面に切り換え可能に表示する。【選択図】図１
2010171541.tif 000002
【特許請求の範囲】
【請求項１】
複数の操作キーを表示する表示部と、該表示部に設けられたタッチパネルとを備えた情報表示装置であって、
前記複数の操作キーの中から、所定の操作キーを選択する選択手段を備え、
前記表示部は、前記選択手段により選択された操作キーと該操作キー以外の他の操作キーとを別々の画面に切り換え可能に表示することを特徴とする情報表示装置。
【請求項２】
請求項１に記載の情報表示装置において、前記所定の操作キーは、前記タッチパネルを介してユーザにより選択された操作キーであることを特徴とする情報表示装置。
【請求項３】
請求項２に記載の情報表示装置において、前記別々の画面は、メイン画面と、１つ以上のサブ画面とで構成されていることを特徴とする情報表示装置。
【請求項４】
請求項３に記載の情報表示装置において、前記選択手段により選択された操作キーを、前記メイン画面から前記サブ画面、または、前記サブ画面から前記メイン画面に移動させることを特徴とする情報表示装置。
【請求項５】
請求項３に記載の情報表示装置において、前記選択手段により選択された操作キー以外の他の操作キーを、前記メイン画面から前記サブ画面、または、前記サブ画面から前記メイン画面に移動させることを特徴とする情報表示装置。
【請求項６】
請求項４又は５に記載の情報表示装置において、前記メイン画面または前記サブ画面に操作キーを移動させた後に、前記メイン画面に表示させる操作キー及び／又は前記サブ画面に表示させる操作キーを、等間隔で再配置することを特徴とする情報表示装置。
【請求項７】
請求項４又は５に記載の情報表示装置において、前記メイン画面または前記サブ画面に操作キーを移動させた後に、前記メイン画面に表示させる操作キー及び／又は前記サブ画面に表示させる操作キーを、機能毎にグループ分けして再配置することを特徴とする情報表示装置。
【請求項８】
請求項３〜７のいずれか１項に記載の情報表示装置において、前記メイン画面と前記サブ画面とを切り換えるための切換ボタンを備え、
前記表示部は、ユーザにより前記切換ボタンが押下されたときに、前記メイン画面と前記サブ画面とを切り換えることを特徴とする情報表示装置。
【請求項９】
請求項１〜８のいずれか１項に記載の情報表示装置において、該情報表示装置は、リモコン装置であることを特徴とする情報表示装置。
【発明の詳細な説明】
【技術分野】
【０００１】
本発明は、情報表示装置に関し、より詳細には、複数の操作キーを表示する表示部と該表示部上に設けられたタッチパネルとを備えた情報表示装置に関する。
【背景技術】
【０００２】
従来、タッチパネルによるタッチ操作が可能な様々な情報表示装置が製品化されている。このような情報表示装置の中には、例えば、各種の操作キーをタッチパネル付きの画面上に配置し、ユーザが所望の操作キーを指等でタッチすることで電子機器を操作できるリモコン装置がある。近年の電子機器の多機能化に伴い、リモコン装置の操作キーの数も多くなっており、リモコン装置の操作部分をタッチパネル化することで、多くの操作キーを配置できるようにしている。
【０００３】
図２６は、従来のタッチパネル付き画面を備えたリモコン装置の画面例を示す図である。図中、１００はリモコン装置が備える表示部、１０１は表示部１００上に設けられたタッチパネルを示す。このように限られた画面スペースに多くの操作キーを配置すると、操作キーの間隔が狭くなり、非常に操作がしづらいものになっていた。なお、図中、操作キーにハッチング（グレー部分）されているものは、このユーザにとって特に使用頻度の高い操作キーであることを示す。
【０００４】
図２７は、従来のタッチパネル付き画面を備えたリモコン装置の他の画面例を示す図である。この例のリモコン装置の場合、図２７（Ａ），（Ｂ）に示すように、切換ボタン１０２により２つの画面（ページ）を切り換えて表示するようにしている。これにより上記例と比べ、１画面（ページ）当たりの操作キーの数を減らすことができるため、操作キーの間隔を広くとることができる。
【０００５】
しかしながら、その反面、使用頻度の高い操作キーであるか否かに係らず、操作キーがランダム又は項目毎に配置されてしまうため、使用頻度の高い操作キーが２画面に分散・配置され、ユーザは操作時に２つの画面を頻繁に切り換えて操作しなければならず、やはり使い勝手が悪かった。
【０００６】
このような問題に対して、例えば、特許文献１には、ユーザの好みに合った操作キーのみを表示し、使い勝手を向上させたリモコン装置が記載されている。
【０００７】
特許文献１に記載のリモコン装置は、液晶表示部上に設けられたタッチパネルを備え、登録されているユーザ名，機種名，モデル名をそれぞれ表示し、選択を促すステップと、これらに対応して予め登録されている操作キーの配置を表示し、レイアウト変更を促すステップと、操作キーの削除又は配置移動の入力に応じて、操作キーのレイアウトを変更するステップと、レイアウト変更後の登録名の入力を促すステップと、レイアウト変更後の操作キーの配置と登録名とユーザ名とを登録するステップとを備える。
【先行技術文献】
【特許文献】
【０００８】
【特許文献１】特開２００６−３２４７０７号公報
【発明の概要】
【発明が解決しようとする課題】
【０００９】
しかしながら、機能が複雑化した最近の電子機器では操作キーの数が多くなり、兼用キーも多くなるため、前述の図２６，図２７に示したように、単にタッチパネル付き表示部を備えたリモコン装置に置き換えただけでは、操作の煩雑さは変わらない。また、操作キーのレイアウトを変更できるものもあるが、これは製造時に予め登録されたレイアウトパターンから選択するようにしたもので、ユーザが任意に登録できるものではなく、ユーザによっては使い勝手が悪いと感じることがあった。
【００１０】
また、特許文献１に記載のリモコン装置では、ユーザの好みに合った操作キーのみが表示され、それ以外が削除されてしまう。一般にユーザの好みに合わない操作キーは使用頻度が低いものと考えられるが、全く不要ではないため、削除してしまうと、いざ使用するときに、再登録するなどの作業が必要となり、かえってユーザの使い勝手を悪くしてしまうことになる。
【００１１】
本発明は、上述のごとき実情に鑑みてなされたもので、ユーザがよく使う操作キーとそうでない操作キーとを別々の画面に切り換え可能に表示して、ユーザの使い勝手を向上させるようにした情報表示装置を提供すること、を目的とする。
【課題を解決するための手段】
【００１２】
上記課題を解決するために、第１の技術手段は、複数の操作キーを表示する表示部と、該表示部に設けられたタッチパネルとを備えた情報表示装置であって、前記複数の操作キーの中から、所定の操作キーを選択する選択手段を備え、前記表示部は、前記選択手段により選択された操作キーと該操作キー以外の他の操作キーとを別々の画面に切り換え可能に表示することを特徴としたものである。
【００１３】
第２の技術手段は、第１の技術手段において、前記所定の操作キーは、前記タッチパネルを介してユーザにより選択された操作キーであることを特徴としたものである。
【００１４】
第３の技術手段は、第２の技術手段において、前記別々の画面は、メイン画面と、１つ以上のサブ画面とで構成されていることを特徴としたものである。
【００１５】
第４の技術手段は、第３の技術手段において、前記選択手段により選択された操作キーを、前記メイン画面から前記サブ画面、または、前記サブ画面から前記メイン画面に移動させることを特徴としたものである。
【００１６】
第５の技術手段は、第３の技術手段において、前記選択手段により選択された操作キー以外の他の操作キーを、前記メイン画面から前記サブ画面、または、前記サブ画面から前記メイン画面に移動させることを特徴としたものである。
【００１７】
第６の技術手段は、第４又は第５の技術手段において、前記メイン画面または前記サブ画面に操作キーを移動させた後に、前記メイン画面に表示させる操作キー及び／又は前記サブ画面に表示させる操作キーを、等間隔で再配置することを特徴としたものである。
【００１８】
第７の技術手段は、第４又は第５の技術手段において、前記メイン画面または前記サブ画面に操作キーを移動させた後に、前記メイン画面に表示させる操作キー及び／又は前記サブ画面に表示させる操作キーを、機能毎にグループ分けして再配置することを特徴としたものである。
【００１９】
第８の技術手段は、第３〜第７のいずれか１の技術手段において、前記メイン画面と前記サブ画面とを切り換えるための切換ボタンを備え、前記表示部は、ユーザにより前記切換ボタンが押下されたときに、前記メイン画面と前記サブ画面とを切り換えることを特徴としたものである。
【００２０】
第９の技術手段は、第１〜第８のいずれか１の技術手段において、該情報表示装置は、リモコン装置であることを特徴としたものである。
【発明の効果】
【００２１】
本発明によれば、ユーザがよく使う操作キーとそうでない操作キーとを別々の画面に切り換え可能に表示することで、操作キーの間隔を広げて操作し易くすると共に、画面を頻繁に切り換える必要がなくなるため、ユーザの使い勝手を向上させることができる。
【図面の簡単な説明】
【００２２】
【図１】本発明の一実施形態に係る情報表示装置の構成例を示すブロック図である。
【図２】図１に示す情報表示装置の外観の一例を示す図である。
【図３】本発明のリモコン装置による操作キー配置方法を適用したときの画面遷移例を示す図である。
【図４】本発明のリモコン装置による操作キー配置方法を適用したときの画面遷移例を示す図である。
【図５】本発明のリモコン装置による操作キー配置方法を適用したときの画面遷移例を示す図である。
【図６】本発明のリモコン装置による操作キー配置方法を適用したときの画面遷移例を示す図である。
【図７】本発明の第１の実施形態に係るリモコン装置による操作キー配置方法を適用したときの画面遷移例を示す図である。
【図８】本発明の第１の実施形態に係るリモコン装置による操作キー配置方法を適用したときの画面遷移例を示す図である。
【図９】本発明の第１の実施形態に係るリモコン装置による操作キー配置方法を適用したときの他の画面遷移例を示す図である。
【図１０】本発明の第１の実施形態に係るリモコン装置による操作キー配置方法を適用したときの他の画面遷移例を示す図である。
【図１１】本発明の第１の実施形態に係るリモコン装置による操作キー配置方法を適用したときの他の画面遷移例を示す図である。
【図１２】本発明の第１の実施形態に係るリモコン装置による操作キー配置方法を適用したときの他の画面遷移例を示す図である。
【図１３】本発明の第１の実施形態に係るリモコン装置による操作キー配置方法を適用したときの他の画面遷移例を示す図である。
【図１４】本発明の第１の実施形態に係るリモコン装置による操作キー配置方法を適用したときの他の画面遷移例を示す図である。
【図１５】本発明の第１の実施形態に係るリモコン装置による画面切換方法の一例を説明するためのフロー図である。
【図１６】本発明の第１の実施形態に係るリモコン装置による操作キー配置方法の一例を説明するためのフロー図である。
【図１７】本発明の第２の実施形態に係るリモコン装置による操作キー配置方法を適用したときの画面遷移例を示す図である。
【図１８】本発明の第２の実施形態に係るリモコン装置による操作キー配置方法を適用したときの画面遷移例を示す図である。
【図１９】本発明の第２の実施形態に係るリモコン装置による操作キー配置方法を適用したときの画面遷移例を示す図である。
【図２０】本発明の第２の実施形態に係るリモコン装置による操作キー配置方法を適用したときの画面遷移例を示す図である。
【図２１】本発明の第２の実施形態に係るリモコン装置による操作キー配置方法を適用したときの画面遷移例を示す図である。
【図２２】本発明の第２の実施形態に係るリモコン装置による操作キー配置方法を適用したときの他の画面遷移例を示す図である。
【図２３】本発明の第２の実施形態に係るリモコン装置による操作キー配置方法を適用したときの他の画面遷移例を示す図である。
【図２４】本発明の第２の実施形態に係るリモコン装置による操作キー配置方法を適用したときの他の画面遷移例を示す図である。
【図２５】本発明の第２の実施形態に係るリモコン装置による操作キー配置方法の一例を説明するためのフロー図である。
【図２６】従来のタッチパネル付き画面を備えたリモコン装置の画面例を示す図である。
【図２７】従来のタッチパネル付き画面を備えたリモコン装置の他の画面例を示す図である。
【発明を実施するための形態】
【００２３】
以下、添付図面を参照しながら、本発明の情報表示装置に係る好適な実施の形態について説明する。
【００２４】
図１は、本発明の一実施形態に係る情報表示装置の構成例を示すブロック図で、図中、１０は情報表示装置を示す。図２は、図１に示す情報表示装置の外観の一例を示す図である。なお、以下では、本発明に係る情報表示装置として、リモコン装置を例示して説明するが、このリモコン装置に限定されるものではなく、タッチパネル機能を備えたＰＤＡ（Personal Digital Assistant）やゲーム機器などの携帯端末にも適用することができる。
【００２５】
図１，図２において、情報表示装置（以下、リモコン装置）１０は、揮発性メモリであるＲＡＭ１１と、不揮発性メモリ１２と、リモコン装置１０の動作を制御するＣＰＵ１３と、本発明における表示部の一例である液晶表示部１４と、液晶表示部１４に設けられたタッチパネル１５と、タッチパネル１５を制御するタッチパネル制御部１６と、リモコン信号を送信するリモコン送信部１７と、固定ボタン１８とを備える。
【００２６】
不揮発性メモリ１２は、操作画面情報１２ａ、操作キー選択情報１２ｂ、操作キー配置情報１２ｃ、及び操作キー登録プログラム１２ｄを格納する。固定ボタン１８は、電源ボタン１８ａ、選択／登録ボタン１８ｂ、及び切換ボタン１８ｃにより構成される。なお、本例の固定ボタン１８は、図２に示すように、リモコン装置１０の筐体部分にハードキーとして設けられているが、タッチパネル画面上にタッチキーとして配置してもよい。
【００２７】
図１において、液晶表示部１４は、メイン画面と、１つ以上のサブ画面とを切り換えて表示可能としている。初期状態では後述の図３に示すように、メイン画面に複数の操作キーが表示されており、各操作キーにはリモコン信号が対応付けられている。ユーザがメイン画面上に表示された操作キーのいずれかを、タッチパネル１５を介してタッチすると、このタッチされた座標位置をタッチパネル制御部１６が検知し、ＣＰＵ１３に通知する。ＣＰＵ１３は、タッチパネル制御部１６により検知された座標位置に対応するリモコン信号を特定し、このリモコン信号をリモコン送信部１７から操作対象機器に向けて送信する。
【００２８】
本発明の主たる特徴部分は、ユーザがよく使う操作キーとそうでない操作キーとを別々の画面に切り換え可能に表示して、ユーザの使い勝手を向上させることにある。このための構成として、リモコン装置１０は、複数の操作キーを表示する液晶表示部１４と、液晶表示部１４に設けられたタッチパネル１５と、複数の操作キーの中から所定の操作キーを選択する選択手段に相当するＣＰＵ１３とを備える。液晶表示部１４は、ＣＰＵ１３により選択された操作キーと該操作キー以外の他の操作キーとを別々の画面に切り換え可能に表示する。この別々の画面は、メイン画面と、１つ以上のサブ画面で構成されている。
【００２９】
ＣＰＵ１３による操作キー選択方法の具体例として、ＣＰＵ１３は、所定の操作キーとして、タッチパネル１５を介してユーザによりタッチされた操作キーを選択する。そして、ＣＰＵ１３が選択した操作キーを、メイン画面からサブ画面、または、サブ画面からメイン画面に移動させる。また、ＣＰＵ１３が選択した操作キー以外の他の操作キーを、メイン画面からサブ画面、または、サブ画面からメイン画面に移動させるようにしてもよい。
【００３０】
リモコン装置１０は、液晶表示部１４上に複数配置された操作キーの中からユーザ所望の操作キーを選択するための操作キー選択／登録モードを備える。ユーザが選択／登録ボタン１８ｂを押下する等により操作キー選択／登録モードが起動すると、ＣＰＵ１３は、操作キー登録プログラム１２ｄを不揮発性メモリ１２からＲＡＭ１１に読み出して実行する。これにより、例えば、タッチパネル１５を介してユーザが選択した操作キーのみが有効となり、その選択結果を操作キー選択情報１２ｂとして不揮発性メモリ１２に登録することで１つの操作画面（すなわち、メイン画面）が設定される。この設定された操作画面に関する情報は、操作画面情報１２ａとして不揮発性メモリ１２に登録される。
【００３１】
このとき同時に、ユーザにより選択されなかった（非選択の）操作キーのみを有効とする排他的な操作画面（すなわち、サブ画面）が自動的に登録される。非選択の操作キーは使用頻度が低いといっても全く不要な操作キーではないため、これらの操作キーを使用するときにこの操作画面に切り換えることで利用できるようにしている。
【００３２】
このように登録された操作画面は、初期状態の操作画面と比較すると、操作キーの数が２つ以上の操作画面に分散され、隣り合った操作キーの間隔が広がった状態で配置されるため、リモコン装置１０の操作性を改善することができる。
【００３３】
例えば、メイン画面を表示させた状態で、上記操作キー選択／登録モードを実行すると、非選択の操作キーがサブ画面に移動し、この非選択の操作キーの分だけメイン画面上に隙間ができる。その隙間に対してメイン画面上に残った操作キーを移動させ、最適な間隔に配置することで、操作性の向上を図ることができる。この操作キーの配置に係る情報は、操作キー配置情報１２ｃとして不揮発性メモリ１２に格納されている。また、操作キー配置情報１２ｃは、画面間を移動させた操作キーを自動的に最適な間隔に再配置するための再配置ルールを含む。この再配置ルールとしては、例えば、等間隔で再配置する、機能毎にグループ分けして再配置する、などが考えられる。
【００３４】
すなわち、本発明では、リモコン装置１０が備える複数の操作キーの中から、所定の操作キーを選択する際に、ユーザのタッチ操作によりユーザ所望の操作キーを選択する。本発明の具体例について、以下の図３〜図２５に基づいて説明する。
【００３５】
図３〜図６は、本発明のリモコン装置１０による操作キー配置方法を適用したときの画面遷移例を示す図である。図中、キー１〜４８は操作キー、２０はユーザの指を示す。液晶表示部１４に表示されるキー１〜４８の操作キーにはそれぞれリモコン信号が割り当てられており、ユーザの指２０（以下、単にユーザ２０という）がタッチパネル１５を介していずれかの操作キーをタッチ操作すると、リモコン装置１０はその操作キーに応じたリモコン信号を送信する。
【００３６】
図３において、液晶表示部１４にはリモコン装置１０のメイン画面が表示されているものとし、ユーザ２０が選択／登録ボタン１８ｂを押下すると、操作キー選択／登録モードに移行する。そして、ユーザ２０は自身がよく使う操作キーをタッチ操作して選択する。ここでは、選択された操作キー（キー１，２，６，…，４８）に色を付けて識別できるようにしている。そして、ユーザ２０が再度、選択／登録ボタン１８ｂを押下すると、操作キー選択／登録モードが終了し、不揮発性メモリ１２に操作キー選択情報１２ｂが登録される。
【００３７】
上記において操作キーが選択・登録された状態で、図４に示すように、ユーザ２０が切換ボタン１８ｃを押下すると、図５に示す画面に移行する。すなわち、図５（Ａ）はユーザ２０により選択された操作キーを表示するメイン画面を示し、図５（Ｂ）はユーザ２０により選択された操作キー以外の他の操作キーを表示するサブ画面を示す。このメイン画面とサブ画面とは切換ボタン１８ｃを押下することにより切り換えることができる。
【００３８】
さらに、図５（Ａ）に示すメイン画面，図５（Ｂ）に示すサブ画面に対して、それぞれ図６（Ａ），（Ｂ）に示すように操作キーの配置間隔を自動的に調整するようにしてもよい。操作キーの配置間隔をどのように調整するのかは、操作キー配置情報１２ｃに含まれる再配置ルールに基づいて行われる。例えば、等間隔で再配置する等により自動的に配置間隔が調整される。図６（Ａ），（Ｂ）に示す画面例の場合、図５（Ａ），（Ｂ）に示す画面例と比べて、各操作キーの間隔が広がり、より使い易く配置されていることがわかる。
【００３９】
なお、上記の再配置後において、各操作キーをユーザ所望の位置に移動できるようにしてもよい。例えば、ユーザ２０が任意の操作キーに対してドラッグ＆ドロップ操作をすることで画面上の所望の位置に移動させることができる。
【００４０】
このように、ユーザ２０にとって使用頻度の高い操作キーはメイン画面に表示され、使用頻度の低い操作キーはサブ画面に表示される。ユーザ２０は日常的な操作をメイン画面から行うことができる上に、特殊な操作（たまにしか行わない操作）を行う場合にはサブ画面に切り換えればよいため、従来リモコンと比べて使い勝手を格段に向上させることができる。
【００４１】
なお、上記例では特定の電子機器を操作するリモコン装置として説明したが、このリモコン装置で複数の電子機器を操作する場合には、各電子機器に対応させてメイン画面及びサブ画面をそれぞれ設定できるようにしてもよい。
【００４２】
以下、本発明のリモコン装置１０による具体的な実施形態について、図７〜図２５に基づいて説明する。
【００４３】
（第１の実施形態）
図７，図８は、本発明の第１の実施形態に係るリモコン装置１０による操作キー配置方法を適用したときの画面遷移例を示す図である。図７（Ａ）に示すメイン画面及び図７（Ｂ）に示すサブ画面には、それぞれ操作キーが割り当てられており、ユーザ２０が切換ボタン１８ｃを押下すると、液晶表示部１４はメイン画面とサブ画面とを切り換えて表示する。
【００４４】
図８（Ａ）はメイン画面、図８（Ｂ）はサブ画面を示す。図８（Ｂ）に示すサブ画面を表示した状態で、ユーザ２０が選択／登録ボタン１８ｂを押下すると（Ｓ１）、操作キー選択／登録モードに移行する。ユーザ２０はサブ画面に含まれる複数の操作キーの中から、メイン画面に移動させたい操作キーをタッチ操作により選択する（Ｓ２）。本例では操作キーとして、「ネット」キーが選択され、選択された「ネット」キーの色が識別可能に変化する。そして、ユーザ２０により再度、選択／登録ボタン１８ｂが押下されると（Ｓ３）、操作キー選択情報１２ｂが不揮発性メモリ１２に登録され、サブ画面の「ネット」キーがメイン画面に移動する（Ｓ４）。
【００４５】
そして、図８（Ｂ）に示すサブ画面を表示させた状態で、ユーザ２０が切換ボタン１８ｃを押下すると、図８（Ａ）に示すメイン画面が表示されるが、このメイン画面には、サブ画面から移動した「ネット」キーが表示され、サブ画面から「ネット」キーが削除される。
【００４６】
図９〜図１４は、本発明の第１の実施形態に係るリモコン装置１０による操作キー配置方法を適用したときの他の画面遷移例を示す図である。図９（Ａ）に示すメイン画面には全ての操作キーが割り当てられ、図９（Ｂ）に示すサブ画面には何も割り当てられていない。ユーザ２０が切換ボタン１８ｃを押下すると、液晶表示部１４はメイン画面とサブ画面とを切り換えて表示する。
【００４７】
図１０はメイン画面を示す。この図１０に示すメイン画面を表示した状態で、ユーザ２０が選択／登録ボタン１８ｂを押下すると（Ｓ１１）、操作キー選択／登録モードに移行する。そして、図１１に示すメイン画面において、ユーザ２０はメイン画面に含まれる複数の操作キーの中から、サブ画面に移動させたい操作キーをタッチ操作により選択する（Ｓ１２）。本例ではユーザ２０により複数の操作キーが選択され、選択された操作キーの色が識別可能に変化している。
【００４８】
本例の場合、ユーザ２０がタッチして選択する操作キーは、使用頻度の低い操作キーであり、一度選択した操作キーを再度タッチすると非選択になるトグル動作するように構成されている。また、選択された操作キーは色が変化するため、ユーザはどの操作キーを選択したのか画面上で確認することができる。
【００４９】
図１２（Ａ）はメイン画面、図１２（Ｂ）はサブ画面を示す。図１１に示すメイン画面を表示させた状態で、ユーザ２０により再度、選択／登録ボタン１８ｂが押下されると（Ｓ１３）、操作キー選択情報１２ｂが不揮発性メモリ１２に登録され、メイン画面で選択された複数の操作キーがサブ画面に移動する（Ｓ１４）。なお、図１２（Ａ）に示すメイン画面及び図１２（Ｂ）に示すサブ画面は、ユーザ２０により選択された複数の操作キーを移動させた後の状態を示すものとする。
【００５０】
図１３は操作キーが再配置された後のメイン画面を示す。図１２（Ａ）に示すメイン画面における複数の操作キーの配置は、初期状態（図１１）から、ユーザ２０により選択された複数の操作キーが削除された、所謂“歯抜け”の状態であり、操作キーの間隔が区々になってしまう。特にメイン画面の操作キーは常時使用するため、このままでは使い難い場合がある。
【００５１】
そこで、図１３に示すように、メイン画面の操作キーが所定のルールに従って自動的に再配置されるように構成してもよい。この所定のルールは操作キー配置情報１２ｃに含まれており、例えば、複数の操作キーを、機能毎にグループ分けした上で、さらに各グループで等間隔に再配置するなどのルールを予め規定しておくとよい。
【００５２】
また、図１４に示すように、サブ画面の操作キーが所定のルールに従って自動的に再配置されるように構成してもよい。この所定のルールは、図１３の場合と同様に、操作キー配置情報１２ｃに含まれており、例えば、複数の操作キーを、機能毎にグループ分けした上で、さらに各グループで等間隔に再配置するなどのルールを予め規定しておくとよい。
【００５３】
図１５は、本発明の第１の実施形態に係るリモコン装置１０による画面切換方法の一例を説明するためのフロー図である。まず、リモコン装置１０は、ユーザ２０により切換ボタン１８ｃが押下されると（ステップＳ２１）、現在表示中の画面がメイン画面であるか否かを判定し（ステップＳ２２）、メイン画面と判定した場合（ＹＥＳの場合）、サブ画面表示に切り換える（ステップＳ２３）。また、ステップＳ２２において、メイン画面ではないと判定した場合（ＮＯの場合）、メイン画面表示に切り換える（ステップＳ２４）。このようにして、リモコン装置１０はメイン画面とサブ画面とを切り換えて表示する。
【００５４】
図１６は、本発明の第１の実施形態に係るリモコン装置１０による操作キー配置方法の一例を説明するためのフロー図である。まず、リモコン装置１０は、ユーザ２０により選択／登録ボタン１８ｂが押下されると（ステップＳ３１）、操作キー選択／登録モードに移行する。なお、この操作キー選択／登録モードを実行している間は、切換ボタン１８ｃが無効となる。
【００５５】
そして、リモコン装置１０は、ユーザ２０により再度、選択／登録ボタン１８ｂが押下されたか否かを判定する（ステップＳ３２）。ユーザ２０により再度、選択／登録ボタン１８ｂが押下されていないと判定した場合（ＮＯの場合）、ユーザ２０により画面上の操作キーが押下（タッチ）されたか否かを判定する（ステップＳ３３）。画面上の操作キーが押下されていないと判定した場合（ＮＯの場合）、ステップＳ３２に戻り処理を繰り返す。また、ステップＳ３３において、画面上の操作キーが押下されたと判定した場合（ＹＥＳの場合）、押下された操作キーが非選択か否かを判定する（ステップＳ３４）。ここで、操作キーの選択がトグル動作（図１１）になっており、ユーザ２０が操作キーに対して１回タッチする毎に、選択／非選択が切り換わる。これにより、タッチされた操作キーが非選択か否かを判定することができる。
【００５６】
次に、リモコン装置１０は、ステップＳ３４において、押下された操作キーが非選択でないと判定した場合（ＮＯの場合）、押下された操作キーの色を変化させるなどの選択表示を行い（ステップＳ３５）、また、押下された操作キーが非選択であると判定した場合（ＹＥＳの場合）、押下された操作キーの色を元に戻し非選択表示を行う（ステップＳ３６）。
【００５７】
また、ステップＳ３２において、ユーザ２０により再度、選択／登録ボタン１８ｂが押下されたと判定した場合（ＹＥＳの場合）、現在表示中の画面がメイン画面か否かを判定する（ステップＳ３７）。ここで、現在表示中の画面がメイン画面であると判定した場合（ＹＥＳの場合）、メイン画面上で選択された操作キーをサブ画面に移動し、メイン画面及び／又はサブ画面の操作キーを再配置する（ステップＳ３８）。また、ステップＳ３７において、現在表示中の画面がメイン画面ではないと判定した場合（ＮＯの場合）、サブ画面上で選択された操作キーをメイン画面に移動し、サブ画面及び／又はメイン画面の操作キーを再配置する（ステップＳ３９）。このようにして、メイン画面上でユーザにより選択された操作キーをサブ画面に移動させ、また、サブ画面上でユーザにより選択された操作キーをメイン画面に移動させる。
【００５８】
（第２の実施形態）
図１７〜図２１は、本発明の第２の実施形態に係るリモコン装置１０による操作キー配置方法を適用したときの画面遷移例を示す図である。図１７（Ａ）に示すメイン画面には何も割り当てられておらず、図１７（Ｂ）に示すサブ画面には全ての操作キーが割り当てられている。ユーザ２０が切換ボタン１８ｃを押下すると、液晶表示部１４はメイン画面とサブ画面とを切り換えて表示する。本例では、サブ画面が２ページで構成され、各ページの画面上に表示された「ページ１」キーと「ページ２」キーとにより、ページを切り換えることができる。
【００５９】
図１８，１９，２０において、図１８（Ａ），図１９（Ａ），図２０（Ａ）はメイン画面を示し、図１８（Ｂ），図１９（Ｂ），図２０（Ｂ）はサブ画面を示す。
図１８（Ｂ）に示すサブ画面を表示した状態で、ユーザ２０が選択／登録ボタン１８ｂを押下すると（Ｓ４１）、操作キー選択／登録モードに移行する。そして、図１９（Ｂ）に示すサブ画面において、ユーザ２０はサブ画面（ページ１，２）に含まれる複数の操作キーの中から、ページ１，２を切り換えて、使用頻度の高い操作キー、すなわち、メイン画面に移動させたい操作キーをタッチ操作により選択する（Ｓ４２）。本例では、ページ１，２から、ユーザ２０により複数の操作キーが選択され、選択された操作キーの色が識別可能に変化している。
【００６０】
図２０において、図１９（Ｂ）に示すサブ画面を表示させた状態で、ユーザ２０により再度、選択／登録ボタン１８ｂが押下されると（Ｓ４３）、操作キー選択情報１２ｂが不揮発性メモリ１２に登録され、サブ画面（ページ１，２）で選択された複数の操作キーがメイン画面に移動する（Ｓ４４）。なお、図２０（Ａ）に示すメイン画面及び図２０（Ｂ）に示すサブ画面は、ユーザ２０により選択された複数の操作キーを移動させた後の状態を示すものとする。
【００６１】
そして、図２０（Ａ）に示すメイン画面は、図２１に示すメイン画面のように、操作キーが自動的に再配置される。この再配置の方法は、第１の実施形態で説明したものと同じであるため、ここでの説明は省略する。なお、サブ画面での操作キーの再配置は必須ではないため、再配置を実行しなくてもよい。
【００６２】
図２２〜図２４は、本発明の第２の実施形態に係るリモコン装置１０による操作キー配置方法を適用したときの他の画面遷移例を示す図である。図２２（Ａ）に示すメイン画面及び図２２（Ｂ）に示すサブ画面にはそれぞれ操作キーが割り当てられているが、これらの画面は図１７〜図２１で説明した操作キー配置方法を行った後の画面の状態である。すなわち、図２２に示す画面は、図１７に示した初期画面から、ユーザが選択した操作キーを移動した後の画面である。ここで、図１７の初期画面における各操作キーが何ページに配置されていたか不揮発性メモリ１２に記憶しておいてもよい。これにより、後述の図２４に示すように、メイン画面に操作キーを移動させた後に、再び元のサブ画面のページに戻すことができるようになる。
【００６３】
図２２において、ユーザ２０が切換ボタン１８ｃを押下すると、液晶表示部１４はメイン画面とサブ画面とを切り換えて表示する。本例では、前述の図１７〜図２１の例と同様に、サブ画面が２ページで構成され、各ページの画面上に表示された「ページ１」キーと「ページ２」キーとにより、ページを切り換えることができる。
【００６４】
図２３において、図２３（Ａ）はメイン画面、図２３（Ｂ）はサブ画面を示す。図２３（Ｂ）に示すサブ画面を表示した状態で、ユーザ２０が選択／登録ボタン１８ｂを押下すると（Ｓ５１）、操作キー選択／登録モードに移行する。ユーザ２０はサブ画面に含まれる複数の操作キーの中から、メイン画面に移動させたい操作キーをタッチ操作により選択する（Ｓ５２）。本例では操作キーとして、「ネット」キーが選択され、選択された「ネット」キーの色が識別可能に変化する。そして、ユーザ２０により再度、選択／登録ボタン１８ｂが押下されると（Ｓ５３）、操作キー選択情報１２ｂが不揮発性メモリ１２に登録され、サブ画面の「ネット」キーがメイン画面に移動する（Ｓ５４）。
【００６５】
そして、図２３（Ｂ）に示すサブ画面を表示させた状態で、ユーザ２０が切換ボタン１８ｃを押下すると、図２３（Ａ）に示すメイン画面が表示されるが、このメイン画面には、サブ画面から移動した「ネット」キーが表示されている。この際、サブ画面の「ネット」キーは削除される。
【００６６】
図２４において、図２４（Ａ）はメイン画面、図２４（Ｂ）はサブ画面を示す。図２４（Ａ）に示すメイン画面を表示した状態で、ユーザ２０が選択／登録ボタン１８ｂを押下すると（Ｓ６１）、操作キー選択／登録モードに移行する。ユーザ２０はメイン画面に含まれる複数の操作キーの中から、サブ画面に移動させたい操作キーをタッチ操作により選択する（Ｓ６２）。本例では操作キーとして、「入力切換」キーが選択され、選択された「入力切換」キーの色が識別可能に変化する。そして、ユーザ２０により再度、選択／登録ボタン１８ｂが押下されると（Ｓ６３）、操作キー選択情報１２ｂが不揮発性メモリ１２に登録され、メイン画面の「入力切換」キーがサブ画面（ページ２）に移動する（Ｓ６４）。
【００６７】
そして、図２４（Ａ）に示すメイン画面を表示させた状態で、ユーザ２０が切換ボタン１８ｃを押下すると、図２４（Ｂ）に示すサブ画面（ページ２）が表示されるが、このサブ画面（ページ２）には、メイン画面から移動した「入力切換」キーが表示され、メイン画面からは「入力切換」キーが削除される。ここで、リモコン装置１０は、「入力切換」キーが図１７（Ｂ）に示すサブ画面のページ２に配置されていたことを不揮発性メモリ１２に記憶している。これにより、この「入力切換」キーを、メイン画面から元のサブ画面のページ２に移動させることができる。
【００６８】
図２５は、本発明の第２の実施形態に係るリモコン装置１０による操作キー配置方法の一例を説明するためのフロー図である。まず、リモコン装置１０は、ユーザ２０により選択／登録ボタン１８ｂが押下されると（ステップＳ７１）、操作キー選択／登録モードに移行する。
【００６９】
そして、リモコン装置１０は、ユーザ２０により再度、選択／登録ボタン１８ｂが押下されたか否かを判定する（ステップＳ７２）。ここで、選択／登録ボタン１８ｂが押下されていないと判定した場合（ＮＯの場合）、ユーザ２０により切換ボタン１８ｃが押下されたか否かを判定する（ステップＳ７３）。ここで、切換ボタン１８ｃが押下されていないと判定した場合（ＮＯの場合）、ユーザ２０により画面上の操作キーが押下（タッチ）されたか否かを判定する（ステップＳ７４）。ここで、画面上の操作キーが押下されていないと判定した場合（ＮＯの場合）、ステップＳ７２に戻り処理を繰り返す。
【００７０】
また、ステップＳ７４において、画面上の操作キーが押下されたと判定した場合（ＹＥＳの場合）、押下された操作キーが非選択か否かを判定する（ステップＳ７５）。ここで、前述したように、操作キーの選択がトグル動作（図１１）になっており、ユーザ２０が操作キーに対して１回タッチする毎に、選択／非選択が切り換わる。これにより、タッチされた操作キーが非選択か否かを判定することができる。
【００７１】
次に、リモコン装置１０は、ステップＳ７５において、押下された操作キーが非選択でないと判定した場合（ＮＯの場合）、押下された操作キーの色を変化させるなどの選択表示を行い（ステップＳ７６）、また、押下された操作キーが非選択であると判定した場合（ＹＥＳの場合）、押下された操作キーの色を元に戻し非選択表示を行う（ステップＳ７７）。
【００７２】
また、ステップＳ７３において、ユーザ２０により切換ボタン１８ｃが押下されたと判定した場合（ＹＥＳの場合）、現在の画面がメイン画面か否かを判定し（ステップＳ７８）、メイン画面である場合（ＹＥＳの場合）、サブ画面表示に切り換え（ステップＳ７９）、また、サブ画面である場合（ＮＯの場合）、メイン画面表示に切り換え（ステップＳ８０）、ステップＳ７２に戻り処理を繰り返す。
【００７３】
また、ステップＳ７２において、ユーザ２０により再度、選択／登録ボタン１８ｂが押下されたと判定した場合（ＹＥＳの場合）、メイン画面上で選択された操作キーをサブ画面に移動し、また、サブ画面上で選択された操作キーをメイン画面に移動し、サブ画面及び／又はメイン画面の操作キーを再配置する（ステップＳ８１）。このようにして、メイン画面またはサブ画面それぞれの画面上でユーザにより選択された操作キーを、１回の登録操作で、サブ画面またはメイン画面に移動させる。
【符号の説明】
【００７４】
１０…情報表示装置（リモコン装置）、１１…ＲＡＭ、１２…不揮発性メモリ、１３…ＣＰＵ、１４…液晶表示部、１５…タッチパネル、１６…タッチパネル制御部、１７…リモコン送信部、１８…固定ボタン。
【図１】
2010171541.tif 000003
【図２】
2010171541.tif 000004
【図３】
2010171541.tif 000005
【図４】
2010171541.tif 000006
【図５】
2010171541.tif 000007
【図６】
2010171541.tif 000008
【図７】
2010171541.tif 000009
【図８】
2010171541.tif 000010
【図９】
2010171541.tif 000011
【図１０】
2010171541.tif 000012
【図１１】
2010171541.tif 000013
【図１２】
2010171541.tif 000014
【図１３】
2010171541.tif 000015
【図１４】
2010171541.tif 000016
【図１５】
2010171541.tif 000017
【図１６】
2010171541.tif 000018
【図１７】
2010171541.tif 000019
【図１８】
2010171541.tif 000020
【図１９】
2010171541.tif 000021
【図２０】
2010171541.tif 000022
【図２１】
2010171541.tif 000023
【図２２】
2010171541.tif 000024
【図２３】
2010171541.tif 000025
【図２４】
2010171541.tif 000026
【図２５】
2010171541.tif 000027
【図２６】
2010171541.tif 000028
【図２７】
2010171541.tif 000029